(57)【要約】【課題】  着衣している人が前屈姿勢をとったとき、又は激しく動いたときに、ポケット内の収納物が落下しない、衣服のポケットを提供する。【解決手段】  衣服布地１２に設けられた収納部２４と、該収納部２４の上部に設けられた開放部２５とを有する衣服のポケット１１であって、前記収納部２４の開放部２５寄りの部位に、収納部２４の開放状態を封止する封止布１４と保持部２２とを内側布に延設し、該封止布１４と前記収納部２４の内側とには、吸着及び離隔が自在な吸着手段１５、１６を設け、前記収納部２４は、前記保持部２２と連通させた。【選択図】      図３
2004169259.tif 000002
【特許請求の範囲】
【請求項１】
衣服布地に設けられた収納部と、該収納部の上部に設けられた開放部とを有する衣服のポケットであって、
前記収納部の開放部寄りの部位に、収納部の開放状態を封止する封止布と保持部とを内側布に延設し、
該封止布と前記収納部の内側とには、吸着及び離隔が自在な吸着手段を設け、
前記収納部は、前記保持部と連通させたこと、
を特徴とする衣服のポケット。
【請求項２】
保持部の寸法Ｌ１は、ポケットの寸法Ｌ２の少なくとも１／３以上の長さであることを特徴とする請求項１に記載の衣服のポケット。
【請求項３】
封止布は、衣服布地又はポケットの布地よりも柔らかい布地であることを特徴とする請求項１に記載の衣服のポケット。
【請求項４】
吸着手段は、封止布に設けた金属質材料と、収納部の内側に設けたマグネット部材とであることを特徴とする請求項１に記載の衣服のポケット。
【請求項５】
マグネット部材は、柔軟性を有するマグネットシート材であることを特徴とする請求項４に記載の衣服のポケット。
【請求項６】
封止布には、補強片が配設されていることを特徴とする請求項１に記載の衣服のポケット。
【請求項７】
補強片は、合成樹脂製又は金属製の薄板であることを特徴とする請求項６に記載の衣服のポケット。
【発明の詳細な説明】
【技術分野】
【０００１】
本発明は、衣服のポケットに関するものであり、更に詳しくは、着衣している人が前屈姿勢をとったとき、又は激しく動いたときに、ポケット内の収納物が落下しない、衣服のポケットに関するものである。
【背景技術】
【０００２】
従来、この種の衣服のポケットとしては、次のような構成のものが知られている。この衣服のポケットは、ポケット内で衣服本体に所要長さのボタン糸で取り付けられたボタンと、ポケット布に設けたボタンホールとを有している。そして、ポケット内において、収納物に設けられた掛止リングにボタンを挿通させてから、このボタンをボタンホールの外に出すことによって、収納物の掛止リングがボタン糸に掛止されて落下しない構造としたものである（特許文献１参照）。
【特許文献１】特開２０００−１３６４１３号公報（図１乃至図３）。
【発明の開示】
【発明が解決しようとする課題】
【０００３】
この従来例の衣服のポケットにおいては、ボタンを挿通できる掛止リングを備えた収納物にしか落下防止の機能が発揮できない。従って、眼鏡、ケース又は小銭等のような掛止リングが無い収納物は、ボタンを挿通できないので落下するおそれがあるという欠点を有する。
【０００４】
また、収納物の出し入れがスムーズにできない。つまり、収納物をポケットに入れるときには、ボタンを掛止リングに挿通させてからボタンホールの外に出すこととなり、また、収納物を取り出すときにはその逆の手順を経る必要があるので煩雑である。
【０００５】
更に、ボタンを掛止リングに挿通させれば収納物の落下は防げるが、しかしながら、ポケットの上縁部は常に開放状態にあるので、収納物が飛び出すおそれは解消されていない。収納物が飛び出すとポケットの外に宙ぶらりんの状態になる。
【０００６】
従って、従来例における衣服のポケットにおいては、掛止リングが無い収納物でも、落下を確実に防止できるようにすることと、収納物の出し入れをスムーズに行えるようにすることとに解決しなければならない課題を有している。
【課題を解決するための手段】
【０００７】
前記従来例の課題を解決する具体的手段として本発明は、衣服布地に設けられた収納部と、該収納部の上部に設けられた開放部とを有する衣服のポケットであって、前記収納部の開放部寄りの部位に、収納部の開放状態を封止する封止布と保持部とを内側布に延設し、該封止布と前記収納部の内側とには、吸着及び離隔が自在な吸着手段を設け、前記収納部は、前記保持部と連通させたこと、を特徴とする衣服のポケットを提供するものである。
【０００８】
また、前記保持部の寸法Ｌ１は、ポケットの寸法Ｌ２の少なくとも１／３以上の長さである構成としたものであり、そして、前記封止布は、衣服布地又はポケットの布地よりも柔らかい布地である構成としたものであり、更に、前記吸着手段は、封止布に設けた金属質材料と、収納部の内側に設けたマグネット部材とである構成としたものであり、また、前記マグネット部材は、柔軟性を有するマグネットシート材である構成としたものであり、そして、前記封止布には、補強片が配設されている構成としたものであり、この補強片は、合成樹脂製又は金属製の薄板である構成としたものである。
【０００９】
本発明に係る衣服のポケットにおいては、封止布と収納部の内側とを吸着手段によって吸着させることにより収納部が封止状態になるので、着衣している人が前屈姿勢になったり激しく動いたときでもポケット内の収納物が飛び出さず落下しない。
また、吸着手段は、金属質材料とマグネット部材とであることにより、吸着と離隔とが容易で、収納物の出し入れがスムーズに行える。
【発明の効果】
【００１０】
本発明に係る係る衣服のポケットにおいては、衣服布地に設けられた収納部と、該収納部の上部に設けられた開放部とを有する衣服のポケットであって、前記収納部の開放部寄りの部位に、収納部の開放状態を封止する封止布と保持部とを内側布に延設し、該封止布と前記収納部の内側とには、吸着及び離隔が自在な吸着手段を設け、前記収納部は、前記保持部と連通させたことによって、封止布と収納部の内側とを吸着手段によって吸着させることにより収納部が封止状態になる。従って、着衣している人が前屈姿勢になったり激しく動いたときでもポケット内の収納物が飛び出さず落下しない。
更には、着衣している人が前屈姿勢になったときに、収納物がズリ下がって保持部に保持されるので、収納物の重みによって封止布の吸着状態が外れることがないという種々の優れた効果を奏する。
【００１１】
また、保持部の寸法Ｌ１は、ポケットの寸法Ｌ２の少なくとも１／３以上の長さであることによって、収納物がズリ下がって保持部に保持されたときに、安定した状態で保持されるという優れた効果を奏する。
【００１２】
そして、封止布は、衣服布地又はポケットの布地よりも柔らかい布地であることによって、封止布の存在に違和感が生じないという優れた効果を奏する。
【００１３】
更に、吸着手段は、封止布に設けた金属質材料と、収納部の内側に設けたマグネット部材とであることによって、吸着及び離隔が容易であり、収納物の出し入れがスムーズに行えるという優れた効果を奏する。
【００１４】
また、マグネット部材は、柔軟性を有するマグネットシート材であることによって、柔軟性があるので、着衣している人に違和感が生じないという優れた効果を奏する。
【００１５】
そして、封止布には、補強片が配設されていることによって、封止布が捩れたり折れたりしないので、ポケットの封止状態が確実になるという優れた効果を奏する。
【００１６】
更に、補強片は、合成樹脂製又は金属製の薄板であることによって、封止布の封止状態が更に確実なものとなるという優れた効果を奏する。
【発明を実施するための最良の形態】
【００１７】
ポケット内の収納物が落下しないようにするという目的を、ポケットの収納部に封止布を設けて開放状態を封止できるようにすることにより実現した。
なお、ポケットの収納部は開口部を有し、この開口部を境にして、収納部の外側に位置する布地は外側布と称し、内側に位置する布地は全て内側布と称することができる。
【実施例１】
【００１８】
次に、本発明の実施の形態について図面を参照しながら説明する。まず、図１から図３において、符号１１は第１実施例に係る衣服のポケットを示し、この衣服のポケット１１は、衣服布地１２の表側１２ａに配設されたポケット布１３と、このポケット布１３の内側に配設されてポケット１１の開放状態を封止可能な封止布１４と、この封止布１４に延設される保持部２４とから構成されており、内部に収納部２４を有し、且つ上部に開放部２５を有している。
【００１９】
衣服のポケット１１は、ワイシャツ、ポロシャツ、ブラウス等の婦人物の薄物、スーツ、作業着、ジャンパー、ブルゾン、あるいは、ズボン等に形成される。要するに、衣服のポケット１１はポケットを設けることのできる衣服であれば、それらの全てに設けることが可能である。なお、スーツやジャンパー等においては、衣服の外側のポケットのみならず、衣服の内側の内ポケットにも形成される。
【００２０】
衣服布地１２は、ナイロン、ポリエステル、ビニロン等の合成繊維や化学繊維、綿、麻、絹等の天然繊維、又は皮革、合成樹脂材等の、衣服を形成できる生地材である。
【００２１】
また、衣服布地１２には、図３に示すように、開口部１２ｃが形成されており、この開口部１２ｃの横方向の寸法は、ポケット１１の横方向の寸法よりもやや短めに形成されている。
【００２２】
ポケット布１３は、所要の大きさに形成されており、両端部１３ｂ、１３ｂ及び底部１３ｃが衣服布地１２に縫着されていると共に、上縁部１３ａが開放されて開放部２５を形成し、この開放部２５からポケット１１の内部の収納部２４に物品を収納できる構造になっている。
【００２３】
また、ポケット布１３の裏側には、マグネット部材（吸着手段）１５が設けられており、このマグネット部材１５が後述する封止布１４の金属質材料１６と吸着、離隔できるようになっている。なお、マグネット部材１５は、柔軟性を有するマグネットシート材であることが望ましく、この場合には、柔軟性があるので着衣している人に違和感が生じない。
【００２４】
封止布１４は、図１及び図２に示すように、横方向の寸法がポケット布１３の横方向の寸法よりもやや短めに形成されている。また、封止布１４の上端部１４ａは、開口部１２ｃの上縁近傍に逢着されており、両端部１４ｂ、１４ｂは衣服布地１２に縫着されており、下端部１４ｃが開放されている。なお、封止布１４は、衣服布地１２又はポケット布１３よりも柔らかい布地であることが望ましく、この場合には、封止布１４の存在に違和感が生じない。
【００２５】
また、封止布１４の上端部１４ａは、図１及び図３に示すように、ポケット布１３の上縁部１３ａよりも下部に位置するので、ポケット１１の正面視において封止布１４が視認できないようになっている。
【００２６】
更に、封止布１４の上端部１４ａには、図３に示すように、保持部２２が延設されており、この保持部２２は、袋状に形成されている。この保持部２２の一部は、補強布２３を介して衣服布地１２の裏側１２ｂに縫着されており、保持部２２の下端部２２ａは、開口部１２ｃの下縁近傍に逢着されている。
このように形成される保持部２２は、封止布１４の開放された下端部１４ｃの内側から開口部１２ｃを貫通しており、即ち、保持部２２と収納部２４とが連通するように形成されている。
なお、保持部２２の寸法Ｌ１は、図３に示すように、ポケット１１の寸法Ｌ２の少なくとも１／３以上の長さであることが望ましい。このように形成されることによって、収納物２１がズリ下がって保持部２２に保持されたときに、安定した状態で保持されることとなる（図５参照）。
また、補強布２３の存在によって、その部位が硬めに形成されるので、皺や折り曲がりが生じずポケット１１内に収納物を入れ易いこととなる。
更に、補強布２３の縫着位置は、図３に示すように、ポケット布１３の上縁部１３ａよりも下部に位置するので、この補強布２３の存在と相俟ってポケット１１内に収納物を入れ易いこととなる。
【００２７】
封止布１４の裏側には、図２及び図３に示すように、前記マグネット部材１５と対応する位置に金属質材料（吸着手段）１６が設けられており、この金属質材料１６とポケット布１３のマグネット部材１５とが吸着、離隔できるようになっている。また、金属質材料（吸着手段）１６は、具体的には、金属粉、金属粒、柔軟性の有る金属線、又は短めな金属板等である。更には、金属質材料１６は、円形の板材を３分割又は複数に分割したものであってもよく、その場合、金属質材料１６にポケット内の物品が当接したときに、金属質材料１６を物品の凸形状に沿わすことができる。
【００２８】
なお、ポケット布１３と封止布１４とに設ける吸着手段は、マグネット部材１５及び金属質材料１６に限定されるものではなく、例えば、相互に吸着、離隔が自在な面ファスナー（図示せず）であってもよい。この場合は、衣服布地１２やポケット布１３と同様に柔軟性があるので着衣している人に違和感が生じないのである。
【００２９】
更に、封止布１４の裏側には、図２及び図３に示すように、合成樹脂製又は金属製の薄板からなる補強片１７が配設されている。この補強片１７の存在によって封止布１４が捩れたり折れたりしないので、ポケット１１の封止状態が確実になる。
【００３０】
以上のような衣服のポケット１１に物品を収納する状態について説明する。図４に示すように、開放部２５からポケット１１の収納部２４に収納物２１を収納し、ポケット布１３を外側から少し押すと、マグネット部材１５と金属質材料１６とが吸着して、封止布１４によってポケット１１の開放状態が封止される。
【００３１】
この状態で着衣している人が前屈姿勢になった場合、図５に示すように、収納物２１はズリ下がり、封止布１４の下端部１４ｃから封止布１４の後部に移動して保持部２２に保持される。このとき、収納物２１の重みによって封止布１４の吸着状態が外れることがない。
また、着衣している人が激しく動いたときには、封止布１４及び保持部２２の存在によって収納物２１は外に飛び出さない。
このように封止布１４及び保持部２２の存在によってポケット１１に収納したものが飛び出さず落下しないので、特に携帯電話や眼鏡等を収納する場合に最適である。
【００３２】
また、開放部２５から指を入れれば、マグネット部材１５と金属質材料１６とが簡単に離隔するので、収納物２１の出し入れがスムーズに行えるのである。
【実施例２】
【００３３】
次に、封止布の他の実施例を示す。図６に示す封止布１８は、第１実施例の場合と異なり、補強片１７が配設されておらず、封止布１８自体がやや厚めの布材で形成されている。従って、封止布１８が捩れたり折れたりしない。
【実施例３】
【００３４】
更に、封止布の他の実施例を示す。図７に示す封止布１９は、上下方向の長さがやや長めに形成されており、更に、金属質材料１６の両側に金属製の薄板からなる補強片２０が配設されている。なお、補強片２０の配設状態は、図２及び図７のように限定されることはなく、適宜な状態に配設してもよいことは勿論である。
【実施例４】
【００３５】
次に、図８及び図９に第４実施例に係る衣服のポケット３１を示す。この第４実施例において、前記第１実施例の衣服のポケット１１と同一部分には同一符号を付してその詳細は省略する。また、各部材の材質も第１実施例のものと同様な場合は詳細な説明を省略する。
【００３６】
衣服のポケット３１は、衣服布地３２の裏側３２ｂに配設されたポケット布３３と、このポケット布３３に延設され、且つ衣服布地３２との間に配設されてポケット３１の開放状態を封止可能な封止布１４とから構成されており、ポケット３１の内部に収納部２４を有し、且つ上部に開放部３２ｃを有している。また、ポケット布３３の一部は、袋状に形成されて保持部２２を成している。
【００３７】
また、衣服のポケット３１は、主にスーツ、ジャンパー、ズボン等に形成されると共に、衣服の外側のポケットだけでなく、衣服の内側の内ポケットにも形成されるものである。
【００３８】
衣服布地３２には、図８及び図９に示すように、横方向に所要寸法開放された開放部３２ｃが形成されており、この開放部３２ｃからポケット３１の内部の収納部２４に物品を収納できる構造になっている。
【００３９】
開放部３２ｃの内側においては、ポケット３１の上部の衣服布地３２ｇから延設された衣服布地３２ｅが位置し、要するに、開放部３２ｃでは衣服布地３２ｅと衣服布地３２とが重なり合った状態に形成されている。また、衣服布地３２ｅの両側部３２ｆ、３２ｆは衣服布地３２に逢着されている。
【００４０】
また、衣服布地３２の裏側３２ｂには、マグネット部材（吸着手段）１５が設けられており、このマグネット部材１５が後述する封止布１４の金属質材料１６と吸着、離隔できるようになっている。なお、マグネット部材１５は、柔軟性を有するマグネットシート材であることが望ましく、この場合には、柔軟性があるので着衣している人に違和感が生じない。
【００４１】
封止布１４は、図８に示すように、横方向の寸法が開放部３２ｃの横方向の寸法よりもやや短めに形成されている。また、封止布１４の上端部１４ａは、衣服布地３２ｅの下端部近傍に逢着されており、両端部１４ｂ、１４ｂは衣服布地３２に縫着されており、下端部１４ｃが開放されている。なお、封止布１４は、衣服布地１２又はポケット布１３よりも柔らかい布地であることが望ましく、この場合には、封止布１４の存在に違和感が生じない。
【００４２】
封止布１４の裏側には、図８及び図９に示すように、前記マグネット部材１５と対応する位置に金属質材料（吸着手段）１６が設けられており、この金属質材料１６とマグネット部材１５とが吸着、離隔できるようになっている。また、金属質材料（吸着手段）１６は、具体的には、鉄粉、柔軟性の有る鉄線、又は短めな鉄板等である。
【００４３】
更に、封止布１４の裏側には、図８及び図９に示すように、合成樹脂製又は金属製の薄板からなる補強片１７が配設されている。この補強片１７の存在によって封止布１４が捩れたり折れたりしないので、ポケット１１の封止状態が確実になる。
【００４４】
また、封止布１４の上端部１４ａには、図９に示すように、保持部２２が延設されており、この保持部２２は、袋状に形成されている。この保持部２２の一部は、補強布２３を介して衣服布地３２ｅに縫着されている。
この保持部２２は、前述のようにポケット布３３の一部を成し、このポケット布３３は、両端部３３ｂ、３３ｂ及び底部３３ｃが衣服布地３２に縫着されている。
なお、保持部２２の寸法Ｌ１は、図９に示すように、ポケット１１の寸法Ｌ２の少なくとも１／３以上の長さであることが望ましい。このように形成されることによって、収納物２１がズリ下がって保持部２２に保持されたときに、安定した状態で保持されることとなる（図５参照）。
このように形成される保持部２２は、封止布１４の開放された下端部１４ｃの内側から収納部２４と連通するように形成されている。
【００４５】
以上のような衣服のポケット３１に物品を収納する状態について説明する。図１０に示すように、開放部３２ｃからポケット３１の収納部２４に収納物２１を収納し、衣服布地３２を外側から少し押すと、マグネット部材１５と金属質材料１６とが吸着し、封止布１４によってポケット１１の開放状態が封止される。
【００４６】
この状態で着衣している人が前屈姿勢になった場合、図１１に示すように、収納物２１はズリ下がり、封止布１４の下端部１４ｃから封止布１４の後部に移動して保持部２２に保持される。このとき、収納物２１の重みによって封止布１４の吸着状態が外れることがない。また、着衣している人が激しく動いたときには、封止布１４及び保持部２２の存在によって収納物２１は外に飛び出さないのである。
【実施例５】
【００４７】
次に、図１２及び図１３に第５実施例に係る衣服のポケット４１を示す。この第５実施例において、前記第１又は第４実施例の衣服のポケット１１、３１と同一部分には同一符号を付してその詳細は省略する。また、各部材の材質も第１又は第４実施例のものと同様な場合は詳細な説明を省略する。
【００４８】
衣服のポケット４１は、衣服布地４２の裏側４２ｂにポケット布４３が配設されており、内部に収納部２４を有し、且つ上部に開放部４５を有しており、収納部２４の開放部４５寄りの部位には、収納部２４の開放状態を封止可能な封止布４４を有している。また、ポケット布４３の上部は保持部２２を成しており、この保持部２２が収納部２４と連通している。
【００４９】
開放部４５は、横方向に所要寸法開放されて形成されており、この開放部４５からポケッ４１の収納部２４に物品を収納できる構造になっている。
【００５０】
開放部４５の外側においては、衣服布地４２の上部に縁布地４６が連設されており、この縁布地４６は、衣服布地４２よりも少し硬めの生地で形成されている。また、縁布地４６の両端部４６ａ、４６ａは、衣服布地４２に逢着されている。
【００５１】
縁布地４６の裏側４６ｂには、マグネット部材（吸着手段）１５が設けられており、このマグネット部材１５が後述する封止布４４の金属質材料１６と吸着、離隔できるようになっている。なお、マグネット部材１５は、柔軟性を有するマグネットシート材であることが望ましく、この場合には、柔軟性があるので着衣している人に違和感が生じない。
【００５２】
開放部４５の内側においては、ポケット４１の上部の衣服布地４２ｇに連接された封止布４４が設けられている。この封止布４４は、横方向の寸法が開放部４５の横方向の寸法と略同一に形成されており、両端部４４ａ、４４ａは、衣服布地４２に縫着されており、下端部４４ｃが開放されている。なお、封止布４４は、衣服布地４２よりも柔らかい布地であることが望ましく、この場合には、封止布４４の存在に違和感が生じない。
【００５３】
なお、封止布４４の上端縁４４ｄは、図１３に示すように、縁布地４６の上端縁４６ｃよりも下部に位置するので、ポケット４１の正面視において封止布４４が視認できないようになっている。
【００５４】
また、封止布４４には、金属質材料（吸着手段）１６が設けられている。この金属質材料１６は、具体的には、金属粉、金属粒、柔軟性の有る金属線、又は短めな金属板等である。
【００５５】
ポケット布４３は、両端部４３ｂ、４３ｂ及び底部４３ｃが衣服布地４２に縫着されており、上部が収納部２４と連通する保持部２２を成している。
なお、保持部２２の寸法Ｌ１は、ポケット４１の寸法Ｌ２の少なくとも１／３以上の長さであることが望ましい。このように形成されることによって、収納物がズリ下がって保持部２２に保持されたときに、安定した状態で保持されることとなる。
【産業上の利用可能性】
【００５６】
本発明の衣服のポケットは、ワイシャツ、ポロシャツ、ブラウス等の婦人物の薄物、スーツ、作業着、ジャンパー、ブルゾン、又はズボン等のように、ポケットを設けることのできる衣服に形成することができる。また、スーツやジャンパー等においては、衣服の外側のポケットのみならず、衣服の内側の内ポケットにも形成できる。
【図面の簡単な説明】
【００５７】
【図１】本発明の第１実施例に係る衣服のポケット１１の正面図である（実施例１）。
【図２】ポケット布１３の一部を破断して封止布１４を表した状態の正面図である（実施例１）。
【図３】図１のＡ−Ａ線断面図である（実施例１）。
【図４】ポケットの内部に収納物２１を収納した状態の図３相当の断面図である（実施例１）。
【図５】ポケットの内部に収納物２１を収納して前屈姿勢になった状態を示す図３相当の断面図である（実施例１）。
【図６】封止布の他の実施例を示し、ポケット布１３の一部を破断して封止布１８を表した状態の正面図である（実施例２）。
【図７】封止布の他の実施例を示し、ポケット布１３の一部を破断して封止布１９を表した状態の正面図である（実施例３）。
【図８】本発明の第４実施例に係る衣服のポケット３１の正面図である（実施例４）。
【図９】図８のＢ−Ｂ線断面図である（実施例４）。
【図１０】ポケットの内部に収納物２１を収納した状態の図９相当の断面図である（実施例４）。
【図１１】ポケットの内部に収納物２１を収納して前屈姿勢になった状態を示す図９相当の断面図である（実施例４）。
【図１２】本発明の第５実施例に係る衣服のポケット４１の正面図である（実施例５）。
【図１３】図１２のＣ−Ｃ線断面図である（実施例５）。
【符号の説明】
【００５８】
１１  衣服のポケット
１２  衣服布地
１２ａ表側
１２ｂ裏側
１２ｃ開口部
１３  ポケット布
１３ａ上縁部
１３ｂ端部
１３ｃ底部
１４  封止布
１４ａ上端部
１４ｂ端部
１４ｃ下端部
１５  マグネット部材（吸着手段）
１６  金属質材料（吸着手段）
１７  補強片
１８  封止布
１９  封止布
２０  補強片
２１  収納物
２２  保持部
２２ａ下端部
２３  補強布
２４  収納部
２５  開放部
３１  衣服のポケット
３２  衣服布地
３２ｂ裏側
３２ｃ開放部
３２ｅ衣服布地
３２ｆ側部
３２ｇ衣服布地
３３  ポケット布
３３ｂ端部
３３ｃ底部
４１  衣服のポケット
４２  衣服布地
４２ｂ裏側
４２ｇ衣服布地
４３  ポケット布
４３ｂ端部
４３ｃ底部
４４  封止布
４４ａ端部
４４ｃ下端部
４４ｄ上端縁
４５  開放部
４６  縁布地
４６ａ端部
４６ｂ裏側
４６ｃ上端縁
【図１】
2004169259.tif 000003
【図２】
2004169259.tif 000004
【図３】
2004169259.tif 000005
【図４】
2004169259.tif 000006
【図５】
2004169259.tif 000007
【図６】
2004169259.tif 000008
【図７】
2004169259.tif 000009
【図８】
2004169259.tif 000010
【図９】
2004169259.tif 000011
【図１０】
2004169259.tif 000012
【図１１】
2004169259.tif 000013
【図１２】
2004169259.tif 000014
【図１３】
2004169259.tif 000015